(57)【要約】　　　（修正有）【課題】キャスター付きで、下向きコ字形の牽引用ハンドルを背面側に組付けたキャリーバッグの、ハンドル部分に着脱自在に取付けて、キャリーバッグの使い勝手をより良くする為の補助バッグを提供する。【解決手段】ハンドル２０の両脚に跨がって覆い被せられる横幅と、両脚より短い背丈を有して、その上端を開口部とする袋状の本体３１を備えており、本体の底面には、その開閉用のチャックを設け、上端には、本体をハンドルの横向きの取っ手に着脱自在に垂支させる垂支手段を設ける。垂支手段は、取っ手に引っ掛ける紐状体３４等から成る。そして、本体の上端開口を閉ざす為の括り紐を取付けたり、補助バッグを、独立した手提バッグとしても使える様に、本体の上端部に提げ手を取付けたり、本体の表側や裏側面に設けたポケットを、コンパクトに畳んだ状態の本体を収納する為の、ケースとしても使える様にする。【選択図】　　　図２
0003099417.tif 000002
【実用新案登録請求の範囲】
【請求項１】
　ボックス状のバッグの底側にキャスターを取付け、背面側に下向きコ字形をした牽引用のハンドルを組付けた構造を備えるキャリーバッグの、ハンドル部分に、着脱自在に取付けられる様に構成したものであって、
　ハンドルの両脚に跨がって覆い被せ得る横幅と、両脚より短い背丈を有して、その上端を開口部とする袋状の本体を備えており、
　本体の底面には、その開閉用のチャックを設け、本体の上端には、この本体をハンドルの横向きの取っ手に着脱自在に垂支させる為の垂支手段を設けたことを特徴とするキャリーバッグ用の補助バッグ。
【請求項２】
　前記垂支手段は、本体の上端部にその一端側を固着させた紐状体と、
　紐状体の他端側と前記上端部とに夫々取付けた、ベルベット式ファスナー、フック、ホック、スナップ等の１組の留め具とを備えており、
　紐状体を、横向きの取っ手に引っ掛けた状態を、留め具により固定させる様にしたことを特徴とする請求項１記載のキャリーバッグ用の補助バッグ。
【請求項３】
　前記垂支手段は、所定長さの帯紐から成り、その両端を、袋状の本体の表側面と裏側面の各上端部に夫々固着させたことを特徴とする請求項１記載のキャリーバッグ用の補助バッグ。
【請求項４】
　前記帯紐を、横向きの取っ手に引っ掛けた状態で、対向する１組の対向面に、ベルベット式ファスナー、フック、ホック、スナップ等の１組の留め具を取付けることにより、上記１組の対向面を係脱自在に接合させられる様にしたことを特徴とする請求項３記載のキャリーバッグ用の補助バッグ。
【請求項５】
　本体の上端部を、袖無しのランニングシャツの上端部に類する形状とすることによって、本体の垂支手段となる、左右１組の帯紐を形成させたことを特徴とする請求項１記載のキャリーバッグ用の補助バッグ。
【請求項６】
　袋状の本体の上端の口縁部に設けた紐通し部に、開口を閉ざす為の括り紐を挿通させたことを特徴とする請求項１記載のキャリーバッグ用の補助バッグ。
【請求項７】
　補助バッグを、キャリーバッグとは別個に、独立した手提バッグとしても使える様に、本体の上端部に、提げ手を取付けたことを特徴とする請求項１記載のキャリーバッグ用の補助バッグ。
【請求項８】
　本体の表側面や裏側面に、ポケットを設けたことを特徴とする請求項１記載のキャリーバッグ用の補助バッグ。
【請求項９】
　本体を、コンパクトに畳んだ状態で、口閉じ用のチャックを設けたポケットに収納出来る様にしたことを特徴とする請求項８記載のキャリーバッグ用の補助バッグ。
【考案の詳細な説明】
【技術分野】
【０００１】
　本考案は、ボックス状のバッグの、底面にキャスターを取付け、背面側に下向きコ字形をした牽引用のハンドルを組付けた構造を備えるキャリーバッグの、ハンドル部分に着脱自在に取付けることが出来て、荷物が多過ぎる時や、バッグの運搬途中で使う品物や、運搬途中で買った品物を収めて置くのに役立つ等して、すこぶる便利な、キャリーバッグ用の補助バッグに関する。
【背景技術】
【０００２】
　本考案の一実施例図である、図１に示した、既存のキャリーバッグ１は、ボックス状のバッグ１０の、底面にキャスター１１を取付け、背面側には下向きコ字形をした牽引用のハンドル２０を組付けた構造を備えており、嵩張る重い荷物も軽快に運べるので、特に、海外旅行用等として廣く普及している。
【考案の開示】
【考案が解決しようとする課題】
【０００３】
　上記のキャリーバッグは、人混みの中を牽引し、又、輸送機関の狭い収納スペースに納められるので、その大きさには自づから限度がある。又、バッグに入れる荷物が常に多量にあるとは限らない。
　更に、バッグの運搬途中で、その中から必要な物を取り出したい時に、人混みの中では、バッグの開閉操作を手早く行い難い。
　又、バッグの運搬途中で買った雑誌等の小物を、人混みの中で、わざわざバッグの中に収めるのも億劫である。
　かと云って、そのまま手に持っていたのでは、バッグを牽引しにくい。
【０００４】
　そこで、本考案の目的は、キャリーバッグの運搬途中で、その中から取り出す必要が生ずる様な小物や、運搬途中で購入した品物等を、わざわざ、バッグに出し入れする手間を省ける様にする為の、或いは、バッグに入り切らない品物を、一時的に収めて置く役割を果たし、キャリーバッグの牽引用ハンドルの部分に、着脱自在に簡単に取付けられる、キャリーバッグ用の補助バッグを提供するにある。
【課題を解決するための手段】
【０００５】
　上記の目的を達成する為の、本考案によるキャリーバッグ用の補助バッグは、
　ボックス状のバッグの底側にキャスターを取付け、背面側に下向きコ字形をした牽引用のハンドルを組付けた構造を備えるキャリーバッグの、ハンドル部分に、着脱自在に取付けられる様に構成したものであって、
　ハンドルの両脚に跨がって覆い被せ得る横幅と、両脚より短い背丈を有して、その上端を開口部とする袋状の本体を備えており、
　本体の底面には、その開閉用のチャックを設け、本体の上端には、この本体をハンドルの横向きの取っ手に着脱自在に垂支させる為の垂支手段を設けたことを特徴とする。
　そして、前記垂支手段は、本体の上端部にその一端側を固着させた紐状体と、
　紐状体の他端側と前記上端部とに夫々取付けた、ベルベット式ファスナー、フック、ホック、スナップ等の１組の留め具とを備えており、
　紐状体を、横向きの取っ手に引っ掛けた状態を、留め具により固定させる様にしたことも特徴とする。
　前記垂支手段は、所定長さの帯紐から成り、その両端を、袋状の本体の表側面と裏側面の各上端部に夫々固着させる構成としてもよい。
　前記帯紐には、横向きの取っ手に引っ掛けた状態で、対向する１組の対向面に、ベルベット式ファスナー、フック、ホック、スナップ等の１組の留め具を取付けることにより、上記１組の対向面を係脱自在に接合させられる様にしてもよい。
　或いは、本体の上端部を、袖無しのランニングシャツの上端部に類する形状とすることによって、本体の垂支手段となる、左右１組の帯紐を形成させてもよい。
　そして、袋状の本体の上端の口縁部に設けた紐通し部に、開口を閉ざす為の括り紐を挿通させてもよい。
　更には、補助バッグを、キャリーバッグとは別個に、独立した手提バッグとしても使える様に、本体の上端部に、提げ手を取付けてもよい。
　又、本体の表側面や裏側面に、ポケットを設けて置き、本体を、コンパクトに畳んだ状態で、口閉じ用のチャックを設けたポケットに収納出来る様にしてもよい。
【考案の効果】
【０００６】
　本考案による、キャリーバッグ用の補助バッグは、以下に列挙した如き実用上の優れた特長を備えている。
　（ａ）必要に応じて、キャリーバッグのハンドル部分に、着脱自在に、簡単・迅速・確実に取付けられる。
　（ｂ）補助バッグを、ハンドル部分に垂支させる為の垂支手段としての帯紐は、ハンドルの取っ手に下向きに引っ掛けた状態で、その両対向面に留め具を取付けて置けば、補助バッグの口を閉ざす役割も果たしてくれる。
　（ｃ）或いは、本体の上端部を、袖無しのランニングシャツの上部に類する形態にすれば、わざわざ、帯紐を作り、本体に取付ける手間と経費を省ける。
　（ｄ）　袋状の本体の口縁部に組付けた括り紐によって、補助バッグの口を簡単に閉じられ、防犯対策等ともなる。
　（ｅ）本体の上端に提げ手を取付けるだけで、補助バッグを、キャリーバッグとは別個に、独立した手提バッグとしても使える。
　（ｆ）本体の表側面や裏側面に設けたチャック付きのポケットは、補助バッグをコンパクトに畳んだ状態で収められるので、補助バッグの保管ケースとしても役立つ。
【考案を実施するための最良の形態】
【０００７】
　以下に、本考案の幾つかの実施例に就いて、順次説明する。
　先ず、本考案の第１実施例を、図１〜図４に示した。
　図１に示した様に、キャリーバッグ１は、縦長でボックス状のバッグ１０の、底側にキャスター１１を取付け、背面側には牽引用のハンドル２０を縦向きに組付けた構成を備えている。
【０００８】
　ハンドル２０は、図１に示した様に、両脚２２及び２３の各上端間に、取っ手２１を水平向きに跨設することによって、全体として下向きのコ字形に類する形状を備えている。
　ハンドル２０は、図示の引上位置から、バッグ１０の背後側に押し込めた押下位置（図示略）にもたらすことが出来る。
【０００９】
　この実施例の補助バッグ３０は、図１に示した形態を備えており、図２，図３に示した様に、ハンドル２０の両脚２２，２３間に、跨がる様にして上方から覆い被せられる、袋状の本体３１を備えている。
　従って、本体３１の横幅は、両脚２２，２３間の幅より廣く、背丈は両脚より短い。
【００１０】
　本体３１の底面には、この底面を開閉させられる様に、その長手方向の全長にわたってチャック３２を取付けている。
　その為、補助バッグ３０を、上記の様に、ハンドル２０に覆い被せることが可能になる。
【００１１】
　本体３１の表側面の下半部には、第１のポケット３３を取付けている。この実施例のポケット３３は、中身を確認出来る様に、ネット状材で作られている。　
【００１２】
　図１に示した様に、袋状の本体３１の裏側面の上端部には、左右両端近くの２個所に、所定長さの帯紐（紐状体）３４の、一端側を綴じ付けている。
　帯紐３４の他端側と、本体３１の表側面の上端部には、ベルベット式ファスナー（マジックテープ）、フック、ホック、スナップ等の１組の留め具３５ａと３５ｂとを取付けている。
【００１３】
　帯紐３４は、図２に示した様に、ハンドル２０の取っ手２１に、二つ折り状態で下向きに引っ掛けたうえ、１組の留め具３５ａと３５ｂとを互いに係合させることによって、本考案に云う、補助バッグ３０の垂支手段としての役割を果たすことになる。
【００１４】
　更に、図３に示した様に、本体３１の裏側面の下半部にも、第２のポケット３６を取付けている。
　厚みのあるこのポケット３６には、“ボストンバッグ”の様に、その頂面と両側面とに跨がらせて、チャック３７を取付けることによって、ポケット３６の口を大きく開き、又、閉ざすことが出来る。
【００１５】
　次に、この実施例の補助バッグ３０の使い方に就いて、その一例を説明する。
　必要に応じて、補助バッグ３０を、キャリーバッグ１のハンドル２０に、図２に示した様に、着脱自在に取付けるには、先ず、本体３１の底面に設けてあるチヤック３２（図１参照）を全開させる。
　これによって、本体３１は、その上下両端が開放された筒状体になる。
【００１６】
　そこで、この状態の補助バッグ３０を、図２に示した様に、ハンドル２０に覆い被せる。　
　被せ終えたら、開かれていたチヤック３２を閉じて、本体３１の底面を、元の様に切れ目の無い状態に戻す。
【００１７】
　然かる後、本体３１の上端の左右両側に取付けてある帯紐３４の夫々を、図２に示した様に、取っ手２１に上側から引っ掛けて、下向きに２つ折りしたうえ、 その先端と、本体３１の上端とに夫々取付けてある１組の留め具３５ａと３５ｂとを互いに係合させる。
　かくして、補助バッグ３０を、キャリーバッグ１のハンドル２０の部分に、垂支状に取付ける作業は、極めて簡単・迅速に、且つ、確実に完了する。
【００１８】
　取付け終えた補助バッグ３０の、利用の仕方は、例えば、キャリーバッグ１の携行途中で、取り出す必要が生じる様な品物を、キャリーバッグ１の中に仕舞い込んでしまうと、必要な時に、人混みの中等では直ぐには取出せなくて、不都合を感ずる問題も、この様な品物を、始めから補助バッグ３０の中に入れて置くことによって解消する。
【００１９】
　或いは、キャリーバッグ１を携行している途中で、思い付きで買った品物、例えば、新聞紙、雑誌、地図等を、わざわざ、キャリーバッグ１の中に仕舞う手間を省いて、図２中に符号Ａを付して示した様に、補助バッグ３０に、一時的に手早く収めて置くことが出来て便利である。
　そして勿論、キャリーバッグ１に入り切らなかった品物を、まとめて収めるにも役立つ。
【００２０】
　その上、補助バッグ３０が不要になった時や、その流通、保管・販売過程では、補助バッグ３０を、コンパクトに畳み込んだうえ、ポケット３６の部分に収めて置くことも出来る。
【００２１】
　それには、図４に図解した様に、先ず、本体３１を、ポケット３６の裏側面に向けて、ポケット３６の中に収められる程度の大きさに畳み込む。　　
【００２２】
　然かる後、チャック３７を全開させたポケット３６を、丁度、口の開いた袋の、表・裏を裏返す様にしながら、この裏返されたポケット３６の中に、畳み込んだ状態の本体３１を包み込ませてしまう。
　その上で、チャック３７を閉ざせば、図４の左上に示した様に、拡げたままの状態ではかなり嵩張る補助バッグ３０を、図４の右上に示した様に、至極コンパクトで、扱い易いスマートな形態に、言わば、包装してしまうことが出来る。
　尚、１組の帯紐３４，３４は、右上図の様に繋ぎ合わせれば、ポケット３６に収納した補助バッグ３０の、携行用の下げ手として活用出来る。
【００２３】
　次に、本考案の第２実施例を、図５及び図６に示した。
　この実施例の補助バッグ４０も、その底面をチャックによって開閉出来る様にした、袋状の本体４１を備えており、基本的な構成は、第１実施例の補助バッグ３０とほぼ同じである。
　尚、本体４１の上端にも、第１実施例の帯紐３４と同様の帯紐を取付けているが、図示は省いた。
【００２４】
　この実施例の補助バッグ４０と、第１実施例の補助バッグ３０との、主たる相異点は、袋状の本体４１の上端開口に、防犯対策等として役立つ、開閉手段を設けたところにある。
　この実施例の開閉手段は、本体４１の上端の口縁部に設けた筒状の紐通し部４３と、紐通し部４３に挿通されて、袋の口を閉ざす括り紐４２とから成る。
【００２５】
　又、図５に示した様に、本体４１の表側面には、チャック付きの第３のポケット４４を取付け、更に、このポケット４４の表側面に、第４のポケット４５を取付けている。
　そして、図６に示した様に、本体４１の裏側面には、その面積にほぼ匹敵する大きさの第５のポケット４６を設け、このポケット４６の表側面には、第２のポケット３６と同様の機能を備えた、第６のポケット４７を取付けている。
【００２６】
　次に、本考案の第３実施例を、図７及び図８に示した。　
　この実施例の補助バッグ５０の本体５１基本的な構成は、第２実施例の補助バッグ４０の本体４１とほぼ同じである。
　第１，第２実施例の補助バッグ３０，４０との、主たる相異点は、袋状の本体５１の上端に、提げ手５２を取付けたところにある。
【００２７】
　この提げ手５２は、例えば、補助バッグ５０の中に、重い荷物を沢山入れ過ぎた為に、ハンドル２０に取付けた状態では、補助バッグ５０に邪魔されて、キャリーバッグ１を牽引し難くなる場合や、補助バッグ５０を、キャリーバッグ１とは無関係に独立した、ショッピングバッグ等として利用したい場合、そして、キャリーバッグ１に入り切らなかった荷物を収める、等の為に役立つ。
【００２８】
　この実施例の補助バッグ５０が、第１実施例の補助バッグ３０とは異なる、別の相異点は、補助バッグ５０を、キャリーバッグ１のハンドル２０に取付ける為の帯紐５３の、取付け方にある。
　即ち、帯紐５３は、図７に示した様に、その両端を、袋状の本体５１の表側面と裏側面とに跨がらせる様にして、その夫々の上端に綴じ付けている。
【００２９】
　そして、下向きに２つ折りされた状態の帯紐５３の、両対向面には、この対向面を、図８に示した様に、係脱自在に接合させる為の、ベルベット式ファスナー等の１組の接合用部材５４，５４を取付けている。　　　
　この様にすれば、袋状の本体５１の上端開口を封鎖することが出来、又、ハンドル２０への補助バッグ５０の取付状態も安定する。
【００３０】
　次に、本考案の第４実施例を、図９に示した。　　
　この実施例の補助バッグ６０と、第１〜第３実施例の補助バッグ３０〜４０との相異点は、補助バッグ６０を、ハンドル２０に垂支状態で取付けて置く為の垂支手段にある。
【００３１】
　即ち、補助バッグ６０は、袋状の本体６１の上側部分を、丁度、袖無しの“ランニングシャツ”の上側部分の様な形にしている。
　その為、図９から容易に理解される様に、本体６１の上端部の左右両側には、ハンドル２０の取っ手２１に引っ掛ける為の、１組の帯紐６２が、本体６１と一体に形成された如き状態になる。
　そして、両帯紐６２，６２の間には、バンドル２０に手を掛ける為の隙間６３も形成される。
【図面の簡単な説明】
【００３２】
【図１】本考案の第１実施例を示すもので、キャリーバッグ及び補助バッグの、各斜視図である。
【図２】同上、キャリーバッグのハンドルに、補助バッグを取付けた状態を、バッグの表側から見た斜視図である。
【図３】同上、図２をバッグの裏側から見た斜視図である。
【図４】同上、補助バッグに取付けたポケットが、補助バッグの本体の部分をコンパクトにくるみ込んだ状態で収納する為の、保管ケースとして役立つことを示したもので、その収納の仕方の説明図である。
【図５】本考案の第２実施例を示すもので、補助バッグを表側から見た斜視図である。
【図６】同上、補助バッグを裏側から見た斜視図である。
【図７】本考案の第３実施例を示すもので、補助バッグを表側から見た斜視図である。
【図８】同上、図２相当図である。
【図９】本考案の第４実施例を示す、図２相当図である。
【符号の説明】
【００３３】
　１　キャリーバッグ
１０　バッグ
１１　キャスター
２０　ハンドル
２１　取っ手
２２，２３　両脚
３０　補助バッグ
３１　本体
３２　チャック
３３　ポケット
３４　帯紐（紐状体）
３５ａ，３５ｂ　留め具
３６　ポケット
３７　チャック
４０　補助バッグ
４１　本体
４２　括り紐
４３　紐通し部　
４４〜４７　ポケット
５０　補助バッグ
５１　本体
５２　提げ手
５３　帯紐
５４　接合用部材
【図１】
0003099417.tif 000003
【図２】
0003099417.tif 000004
【図３】
0003099417.tif 000005
【図４】
0003099417.tif 000006
【図５】
0003099417.tif 000007
【図６】
0003099417.tif 000008
【図７】
0003099417.tif 000009
【図８】
0003099417.tif 000010
【図９】
0003099417.tif 000011